(57)【要約】      （修正有）【課題】導尿バッグが人目につくことを防止でき、尿の観察を簡単且つ楽にでき、使い勝手が良くなるよう形成した導尿バッグ用のカバーを提供する。【解決手段】カバー本体３の前面の全体を前垂れ状に形成する。巻き上げたカバー本体３の前面を仮止めする止め具５を備える。またカバー本体３の両肩部９を、導尿バッグの両方の肩部を被覆して導尿バッグに装着可能に形成すると共に、導尿バッグの後側において連結自在に形成する。【選択図】図１
0003172841.tif 000002
【実用新案登録請求の範囲】
【請求項１】
閉鎖式導尿バッグに被せて装着する導尿バッグ用のカバーであって、カバー本体の前面の全体が前垂れ状に形成され、巻き上げられたカバー本体の前面を仮止めする止め具を備え、またカバー本体の両肩部が、上記の導尿バッグの両方の肩部を被覆して導尿バッグに装着可能に形成されると共に、導尿バッグの後側において連結自在に形成されていることを特徴とする導尿バッグ用のカバー。
【考案の詳細な説明】
【技術分野】
【０００１】
本考案は導尿バッグ用のカバーに関し、更に詳しくは導尿バッグを隠して人目に付くことを防止し、且つ必要時は簡単にバッグの目盛等を確認できるよう形成した導尿バッグ用のカバーに関するものである。
【背景技術】
【０００２】
従来この種のカバーとしては、例えば前面に透明部分を設けると共に、この透明部分を隠すカバーを設け、また下端に開口部を設け、この開口部から導尿バッグの導尿管を取り出すことができるよう形成した袋が知られている（例えば特許文献１参照）。
【０００３】
ところで病院等で使用されている閉鎖式導尿バッグは、尿の色や量等を外部から観察できるよう、通常、透明の樹脂材で形成されている。
そのため従来は、導尿バッグが見舞い客や他の患者等の目に触れ易かったから、患者のプライバシーを損ね、また患者に対し、例えばキャスターの付いた架台に導尿バッグをぶら下げて病室から出ることに抵抗感を与えるものであった。
【０００４】
而して特許文献１に記載の従来品は、この種の問題を解消できるものの、上記の通り、この従来品は袋の前面に透明部分を設け、この透明部分をカバーで覆い、カバーを持ち上げて導尿バッグの目盛や尿の色などを、透明部分を介して視認する構造であった。
従ってこの従来品によると、透明部分が汚れている場合や、透明部分の光の反射具合によっては尿を観察し難い、という問題点があった。またこの従来品の場合は、尿量等の観察時にカバーを持ち上げていなければならない煩わしさがあり、また透明部分が汚れたら掃除する必要があり、使い勝手が悪いものであった。
【先行技術文献】
【特許文献】
【０００５】
【特許文献１】特開２００１−８７２９８号公報
【考案の概要】
【考案が解決しようとする課題】
【０００６】
本考案は、このような従来品の問題点に鑑み、提案されたものである。
従って本考案の解決しようとする技術的課題は、導尿バッグが人目につくことを防止でき、この種のバッグが露出することによる不利益を一掃できると共に、尿の観察を簡単且つ楽にでき、使い勝手が良くなるよう形成した導尿バッグ用のカバーを提供することにある。
【課題を解決するための手段】
【０００７】
本考案は、上記の課題を解決するため、次のような技術的手段を採る。
即ち本考案は、図１、図２等に示されるように、閉鎖式導尿バッグ１に被せて装着する導尿バッグ１用のカバーであって、カバー本体３の前面の全体が前垂れ状に形成され、巻き上げられたカバー本体３の前面を仮止めする止め具５を備え、またカバー本体３の両肩部９が、上記の導尿バッグ１の両方の肩部を被覆して導尿バッグ１に装着可能に形成されると共に、導尿バッグ１の後側において連結自在に形成されていることを特徴とする（請求項１）。
【０００８】
本考案品の材質としては、例えば布、樹脂シート、防水加工が施された紙などがある。布の場合は洗濯が可能で繰り返し使用できる利点がある。また本考案品は、樹脂シートや紙等で使い捨て式に形成されているのでも良い。また本考案品は、表面が着色されたり、柄や模様が施されているのでも良い。なおこの場合は、尿の色や性状の観察に支障を与えないよう、色等を選定するのが好ましい。また本考案の場合、止め具５は、例えば雌雄の面状ファスナーや、ボタンとボタン孔、或いは雌雄のホックなどで構成される。
【考案の効果】
【０００９】
本考案は、このようにカバー本体の前面の全体が前垂れ状に形成され、巻き上げられたカバー本体の前面を仮止めする止め具を備え、またカバー本体の両肩部が、上記の導尿バッグの両方の肩部を被覆して導尿バッグに装着可能に形成されると共に、導尿バッグの後側において連結自在に形成されている。
従って本考案によれば、導尿バッグが人目につくことを防止でき、この種のバッグが露出することによる不利益を一掃でき、また尿の観察が容易になり、使い勝手が良くなるものである。
【図面の簡単な説明】
【００１０】
【図１】本考案のカバーの好適な一実施形態を示す斜視図である。
【図２】本考案品の使用状態時の要部斜視図である。
【図３】本考案品を示し、Ａは正面図、Ｂは背面図である。
【図４】本考案品の使用状態時の正面図である。
【図５】カバー本体の両肩部の他の連結例を示し、Ａは斜視図、Ｂは背面図である。
【考案を実施するための形態】
【００１１】
以下、本考案を実施するための最良の形態を説明する。
本考案は、図１等に示されるように、閉鎖式導尿バッグ１（図２参照）に被せて装着する導尿バッグ１用のカバーである。
【００１２】
而して本考案品は、図１、図２等に示されるように、カバー本体３の前面の全体が前垂れ状に形成されている。そして巻き上げられたカバー本体３の前面を仮止めする止め具５を備えて形成されている。
なお７（図２参照）は、導尿バッグ１を懸吊するための架台である。
【００１３】
止め具５は、前面を巻き上げ後に下から上方後側に返してカバー本体３の前面を束ねるため前面の後面上端から垂れ下げられている帯片５ａと、この帯片５ａの下端の一方の面状ファスナー６ａを止め付けるため、前面の上端の中央位置に設けられている他方の面状ファスナー６ｂとで形成されている。
【００１４】
また本考案品は、カバー本体３の両肩部９が、上記の導尿バッグ１の両方の肩部を被覆して導尿バッグ１に装着可能に形成されると共に、導尿バッグ１の後側において連結自在に形成されている。カバー本体３の両肩部９は、この実施形態ではカバー本体３の両側の上部が後側に回され、上縁３ｅが縫い合わされ、導尿バッグ１の肩部を被覆可能に形成されている。導尿バッグ１の後側は、カバー本体３の両肩部９を形作る後片３ｆの重合する内端に一対の面状ファスナー１０が取り付けられ、これにより連結可能に形成されている。
【００１５】
次に本考案の使用例を説明する。
先ず使用者は、カバー本体３の両肩部９を導尿バッグ１の両方の肩部に被せ、次にカバー本体３の両肩部９を形作る後片３ｆの内端の面状ファスナー１０同士を止め付け、カバー本体３の両肩部９を連結して本考案品を導尿バッグ１に装着する。
【００１６】
尿量等の観察時は、図２、図４に示されるように、使用者はカバー本体３の前面の全体を巻き上げ、帯片５ａを下から上方に回し、一方の面状ファスナー６ａを他方の面状ファスナー６ｂに止め付け、カバー本体３の前面を仮止めする。
【００１７】
なお本考案の場合、カバー本体３の両肩部９を導尿バッグ１の後側において連結する仕方としては、例えば図５に示されるように構成されるのでも良い。この実施形態の本考案品は、カバー本体３の両肩部９を形成する後片３ｆの内端に、紐１１を垂らし、この紐１１を結ぶことで連結可能に形成されているものである。
【符号の説明】
【００１８】
１      導尿バッグ
１ａ    目盛
３      カバー本体
５      止め具
９      両肩部
【図１】
0003172841.tif 000003
【図２】
0003172841.tif 000004
【図３】
0003172841.tif 000005
【図４】
0003172841.tif 000006
【図５】
0003172841.tif 000007